(57)【特許請求の範囲】
【請求項１】
遊技機の外枠に取付けられた前枠を開き位置から閉じ位置に回動させ、閉じ位置にて前記前枠を前記外枠に対して施錠する遊技機用施錠装置であって、
前枠裏面側部の上下部または外枠側部の上下部のいずれかに設けられる一対のメス部材と、いずれか他方に設けられる一対のオス部材と、前記前枠裏面側部の上下中間部に設けられる鉤部材とを有し、
前記各メス部材は、前記前枠を前記外枠に対して閉じ位置にした時に前記各オス部材に設けられた軸部が挿入される挿入孔を有し、
前記各挿入孔と前記各軸部の間には、前記挿入孔に前記軸部が挿入されることで前記挿入孔から前記軸部が抜けることを防止する抜止機構と、その抜止機構を解除する抜止解除機構が設けられており、
前記各抜止解除機構は、前記前枠に設けられたシリンダ錠に連動する連動部材を介して作動する構成になっており、
前記鉤部材は、前記前枠を前記外枠に対して閉じ位置にした時に前記外枠に設けられた鉤受部に掛止し、かつ前記シリンダ錠に連動して傾動する構成になっており、
前記シリンダ錠の錠軸を解錠方向に軸回転させた時のみに解錠状態とするために、各前記抜止解除機構と各前記抜止機構の間には、前記錠軸を解錠方向に軸回転させた時のみに前記各抜止解除機構と前記各抜止機構とを連動させる一方向連動機構が設けられており、
前記鉤部材と前記錠軸の間には、前記錠軸を解錠方向に軸回転させた時のみに前記鉤部材を傾動させる一方向連動機構が設けられていることを特徴とする遊技機用施錠装置。
【請求項２】
請求項１に記載の遊技機用施錠装置であって、
抜止機構は、内部にテーパ部を具備する挿入孔を有するガイド部材と、そのガイド部材の挿入孔内をスライドするスライド部材と、そのスライド部材を初期位置に付勢する付勢部材と、前記スライド部材のスライド位置に応じて軸部に対して近接離間し、かつ前記軸部を挟持する一対の係合ピンを有し、
抜止解除機構は、シリンダ錠に連動する連動部材によって傾動される傾動部材を有し、前記傾動部材を傾動させることで前記スライド部材を移動させて、前記一対の係合ピンによる前記軸部の挟持状態を解除できる構成になっており、
一方向連動機構は、前記スライド部材に設けられた長穴状の開口部と、前記傾動部材から前記開口部に突出する突出部を有して構成されていることを特徴とする遊技機用施錠装置。
【発明の詳細な説明】
【技術分野】
【０００１】
本発明は、遊技機の外枠に取付けられた前枠を開き位置から閉じ位置に回動させ、閉じ位置にて前枠を外枠に対して施錠する遊技機用施錠装置に関する。
【背景技術】
【０００２】
従来、一般的な施錠装置として、例えば特許文献１に記載の施錠装置が知られている。
特許文献１に係る施錠装置は、前枠の裏面に取付けられる基枠体と、その基枠体の上下部に傾動可能に取付けられる鉤部材と、基枠体の長手方向に沿って上下方向に摺動する連結杆を有している。鉤部材は、連結杆に連結されており、連結杆を付勢する付勢部材によって付勢され、外枠に設けられた鉤受部に対して掛止する。そして連結杆をシリンダ錠によって作動させることで、連結杆が摺動し、鉤部材が鉤受部に対して掛止解除される方向に傾動する構成になっている。
【特許文献１】実公平４−３２１５０号公報
【発明の開示】
【発明が解決しようとする課題】
【０００３】
しかし鉤部材は、不正行為によって鉤受部から掛止解除されやすい構造になっていた。従ってこれら施錠装置に不正行為を防止するための防止機構を付加する必要がある場合、かなり複雑な機構を必要とした。
また従来、従前の施錠装置よりも施錠機能を更に強化したいという要望もあった。
そこで本発明は、不正行為防止機能を兼備する新規な機構を有すると共に、更に前枠を強く外枠に対して施錠することができる遊技機用施錠装置を提供することを課題とする。
【課題を解決するための手段】
【０００４】
前記課題を解決するために本発明は、各請求項に記載の通りの構成を備える遊技機用施錠装置であることを特徴とする。
請求項１に記載の発明によると、前枠裏面側部の上下部または外枠側部の上下部のいずれかに設けられる一対のメス部材と、いずれか他方に設けられる一対のオス部材と、前枠裏面側部の上下中間部に設けられる鉤部材とを有している。各メス部材は、前枠を外枠に対して閉じ位置にした時に各オス部材に設けられた軸部が挿入される挿入孔を有している。各挿入孔と各軸部の間には、挿入孔に軸部が挿入されることで挿入孔から軸部が抜けることを防止する抜止機構と、その抜止機構を解除する抜止解除機構が設けられている。各抜止解除機構は、前枠に設けられたシリンダ錠に連動する連動部材を介して作動する構成になっている。鉤部材は、前枠を外枠に対して閉じ位置にした時に外枠に設けられた鉤受部に掛止し、かつ前記シリンダ錠に連動して傾動する構成になっている。
【０００５】
したがって施錠装置は、上下部に一対のメス部材と一対のオス部材を有し、中間部に鉤部材を有している。そのため施錠装置は、少なくとも三箇所において前枠を外枠に対して施錠する。そのため本施錠装置は、従前の施錠装置に比べて施錠機能が強い構造になっている。
またメス部材とオス部材は、挿入孔に軸部が挿入され、軸部が挿入孔から抜けることが抜止機構によって防止される構造になっている。そして抜止機構は、挿入孔と軸部の間に設けられている。そのため施錠装置は、不正行為によって解錠されにくい構造になっている。
【０００６】
また施錠装置は、上下部と中間部において施錠形態が相違している。そのため施錠装置は、その構造によっても不正行為により解錠され難い構造になっている。
一方、施錠装置は、一つのシリンダ錠を作動させることによって一対の抜止機構と鉤部材とを同時に解除できる。そのためシリンダ錠によって容易に施錠装置を解錠状態にすることができる。
【０００７】
また請求項１に記載の発明によると、シリンダ錠の錠軸を解錠方向に軸回転させた時のみに解錠状態とするために、各抜止解除機構と各抜止機構の間には、錠軸を解錠方向に軸回転させた時のみに各抜止解除機構と各抜止機構とを連動させる一方向連動機構が設けられている。そして鉤部材と錠軸の間には、錠軸を解錠方向に軸回転させた時のみに鉤部材を傾動させる一方向連動機構が設けられている。
したがって施錠装置は、一方向連動機構によってシリンダ錠の錠軸を解錠方向に軸回転させた時のみに解錠状態とされる。
【０００８】
請求項２に記載の発明によると、抜止機構は、内部にテーパ部を具備する挿入孔を有するガイド部材と、そのガイド部材の挿入孔内をスライドするスライド部材と、そのスライド部材を初期位置に付勢する付勢部材と、スライド部材のスライド位置に応じて軸部に対して近接離間し、かつ軸部を挟持する一対の係合ピンを有している。抜止解除機構は、シリンダ錠に連動する連動部材によって傾動される傾動部材を有し、傾動部材を傾動させることでスライド部材を移動させて、一対の係合ピンによる軸部の挟持状態を解除できる構成になっている。一方向連動機構は、スライド部材に設けられた長穴状の開口部と、傾動部材から開口部に突出する突出部を有して構成されている。
【発明の効果】
【０００９】
本発明によれば、不正行為防止機能を兼備する新規な機構を有すると共に、更に前枠を強く外枠に対して施錠することが可能な遊技機用施錠装置を得ることができる。
【発明を実施するための最良の形態】
【００１０】
本発明の一の実施形態を図１〜１６にしたがって説明する。
本形態に係る施錠装置１は、図１に示すようにパチンコ機またはスロット機である遊技機１０のための施錠装置である。
遊技機１０は、外枠１１と前枠１２を有している。
外枠１１は、矩形状であって上下左右の枠部材を有している。左の枠部材の上部と下部には、ヒンジ１３，１４が取付けられている。
前枠１２は、中央部に開口窓１２ａを有する板材であって、正面左側部がヒンジ１３，１４を介して外枠１１に回動可能に取付けられている。そのため前枠１２は、図１に示す開き位置と、外枠１１の前側に位置する閉じ位置の間で回動する。そして施錠装置１によって閉じ位置において前枠１２が外枠１１に対して施錠される。
【００１１】
施錠装置１は、図１，２に示すように外枠１１と前枠１２の間に設けられている。施錠装置１は、外枠１１の側部に設けられるベース部材８と一対のオス部材４，５と鉤受部３１を有しており、前枠１２の裏面側部に設けられる基枠体７と一対のメス部材２，３とシリンダ錠６と鉤部材３０を有している。
ベース部材８は、長尺部材であって、外枠１１の右枠部材の枠内側面に取付けられ、右枠部材に沿って上下方向に延出している。ベース部材８の中央部には、鉤受部３１が形成されており、鉤受部３１は、外枠１１の右枠部材に対して立設している。
オス部材４，５は、軸部４ａ，５ａを有しており、ベース部材８の上部と下部に取付けられている。軸部４ａ，５ａは、前枠１２の右枠部材の上下部において略水平方向前方に張出している。
【００１２】
基枠体７は、図１，２に示すように断面Ｌ字状の長尺部材であって、前枠１２の裏面の側端縁に沿って取付けられている。
メス部材２，３は、基枠体７の上部と下部に取付けられており、基枠体７を介して前枠１２の上下部に取付けられている。
メス部材２は、図４，５に示すようにガイド部材２ａ、取付部材２ｂ、カバー２ｇ、スライド部材２ｃ、係合ピン２ｅ，２ｆ、付勢部材２ｈ，２ｉおよび傾動部材２ｄを有している。
ガイド部材２ａは、取付部材２ｂに取付けられ、カバー２ｇによって覆われ、取付部材２ｂを介して基枠体７に取付けられている。そしてガイド部材２ａと取付部材２ｂの間には、オス部材４の軸部４ａが挿入される挿入孔２ｊが形成されている（図３，８参照）。
【００１３】
挿入孔２ｊは、図８に示すように左から先端開口部２ｊ１、テーパ部２ｊ２、奥側開口部２ｊ３を有している。
テーパ部２ｊ２は、先端開口部２ｊ１側から奥側開口部２ｊ３に向けて径が徐々に広くなるテーパ形状になっている。
挿入孔２ｊには、図４，８，９に示すようにオス部材４の軸部４ａが挿入孔２ｊから抜けることを防止する抜止機構（２ａ，２ｃ，２ｅ，２ｆ，２ｈ，２ｉ）が設けられている。そしてガイド部材２ａと取付部材２ｂの間には、抜止機構を解除するための抜止解除機構（２ｄ）が設けられている。
【００１４】
抜止機構（２ａ，２ｃ，２ｅ，２ｆ，２ｈ，２ｉ）は、図４，８，９に示すようにガイド部材２ａとスライド部材２ｃと係合ピン２ｅ，２ｆと付勢部材２ｈ，２ｉを有している。
スライド部材２ｃは、断面コ字状であって挿入孔２ｊに対して軸方向にスライド可能に収容されている。スライド部材２ｃの上下両壁部には、係合ピン２ｅ，２ｆが設置される取付孔２ｃ１，２ｃ２が形成されている。取付孔２ｃ１，２ｃ２は、スライド部材２ｃの中心方向に向けて径が細くなるテーパを有しており、係合ピン２ｅ，２ｆの一部がスライド部材２ｃの中心側に突出し得る構成になっている。
付勢部材２ｈ，２ｉは、図４，８，９に示すようにスライド部材２ｃとガイド部材２ａの間に設けられており、スライド部材２ｃを奥側開口部２ｊ３から先端開口部２ｊ１に向けて（初期位置に向けて）付勢する構成になっている。
【００１５】
抜止解除機構（２ｄ）は、図４〜６に示すように傾動部材２ｄを有している。
傾動部材２ｄは、取付孔２ｄ１と突出部２ｄ２と連結部２ｄ３を有しており、取付孔２ｄ１に挿入されるピンにて取付部材２ｂに傾動可能に取付けられる。
突出部２ｄ２は、図６に示すようにスライド部材２ｃに向けて突出し、スライド部材２ｃの開口部２ｃ３に先端部が入り込んでいる。
連結部２ｄ３は、連動部材２０の端部２０ａと連結されている。そして開口部２ｃ３は、長穴状、例えば三角形状に形成されている。
【００１６】
したがって連動部材２０を上方に移動させた場合は、傾動部材２ｄが傾動し、傾動部材２ｄによってスライド部材２ｃが矢印Ａ方向にスライドする。一方、連動部材２０を下方に移動させて傾動部材２ｄを傾動させた場合には、突出部２ｄ２が開口部２ｃ３内を移動するために、スライド部材２ｃがスライドしない（一方向連動機構）。
【００１７】
下側のメス部材３も、図１３に示すように上側のメス部材２と同様に形成されている。そしてメス部材３とオス部材５の間には、上側の抜止機構と同様に形成された抜止機構（３ａ，３ｃ，３ｅ，３ｆ，３ｈ，３ｉ）と、上側の抜止解除機構と同様に形成された抜止解除機構（３ｄ）が設けられている。そしてスライド部材３ｃに開口部３ｃ３（一方向連動機構）が形成されている。
【００１８】
シリンダ錠６は、図１，２に示すように基枠体７の上下中央部に取付けられており、前枠１２に形成された貫通孔を通って前枠１２の裏面から前方に張出す。
シリンダ錠６は、図１１（Ｂ）（Ｄ）に示すように鍵が差し込まれる鍵穴６ｂと、鍵を回すことで軸回転する錠軸６ａを有している。
錠軸６ａの裏側先端には、図７に示すようにカム部材２２が取付けられている。カム部材２２の右側部には、連動部材２０の一端部２０ｂが連結され、左側部には、連動部材２１の一端部２１ｂが連結されている。
【００１９】
連動部材２０，２１は、図４，７，１３などに示すように径の細い金属棒（針金状あるいはワイヤー状）であって、他端部２０ａ，２１ａが傾動部材２ｄ，３ｄに連結されている。そのため錠軸６ａを回転させることで連動部材２０，２１は、互いに上下逆方向に移動し、傾動部材２ｄ，３ｄを傾動させる。
【００２０】
図４に示すように連動部材２０は、基枠体７に取付けられるカバー２３と基枠体７の間に形成された通路内に摺動可能に収容されている。したがって連動部材２０は、カバー２３によって覆われて保護されている。
連動部材２１も連動部材２０と同様に図示省略のカバーと基枠体７との間に形成された通路内に摺動可能に収納され、カバーによって保護されている。
【００２１】
鉤部材３０は、図１に示すように基端部が基枠体７の上下中央部に傾動可能に取付けられている。
鉤部材３０とシリンダ錠６の間には、図７，１６に示すように連結杆３２が設けられている。
連結杆３２は、下端部が鉤部材３０と連結されており、基枠体７に対して上下方向に摺動可能に取付けられている。連結杆３２の上端部には、カム部材２２のアーム部２２ａが突入される縦方向に長い長穴状の挿入孔３２ａが形成されている。
【００２２】
連結杆３２と基枠体７の間には、図７，１６に示すように付勢部材３３が取付けられている。付勢部材３３は、連結杆３２を付勢することによって、鉤部材３０を略水平方向の姿勢に付勢する。そして鉤部材３０を鉤受部３１に対し掛止させる（図１５，１６参照）。
鉤部材３０を掛止解除する場合は、カム部材２２を解錠方向に回動させる。これによりアーム部２２ａによって連結杆３２が摺動し、鉤部材３０が先端下方に傾動し、鉤部材３０が掛止解除状態になる。
一方、カム部材２２を解錠方向と逆方向に回動させた場合には、アーム部２２ａが挿入孔３２ａ内を移動する。そのため連結杆３２が摺動せず、鉤部材３０は、傾動せず、掛止状態のままになる（一方向連動機構）。
【００２３】
施錠装置１を施錠状態にする方法を以下に説明する。
先ず、前枠１２を外枠１１に対して開き位置から閉じ位置に向けて回動させる（図１参照）。これにより前枠１２側のメス部材２，３が外枠１１に取付けられたオス部材４，５に近接する。
そして図３，図９（Ｂ）に示すように上側のメス部材２の挿入孔２ｊにオス部材４の軸部４ａが挿入される。そして係合ピン２ｅ，２ｆが軸部４ａと当接する。
【００２４】
図１０（Ａ）に示すようにメス部材２が矢印Ｂ方向にさらに移動することで、付勢部材２ｈ，２ｉが弾性変形する。そして挿入孔２ｊのテーパ部２ｊ２が係合ピン２ｅ，２ｆに対して矢印Ｂ方向に移動し、係合ピン２ｅ，２ｆが軸部４ａから離間する方向に移動可能な状態になる。
【００２５】
この状態において前枠１２を開き位置に向けて移動させた場合は、図１０（Ｂ）に示すようにメス部材２が矢印Ｃ方向に移動する。一方、スライド部材２ｃは、オス部材４の軸部４ａに対して移動しない。そのため挿入孔２ｊのテーパ部２ｊ２が係合ピン２ｅ，２ｆに対して矢印Ｃ方向に移動することとなり、係合ピン２ｅ，２ｆがテーパ部２ｊ２の壁面によって軸部４ａ側に押される。そのため係合ピン２ｅ，２ｆによって軸部４ａが挟持され、軸部４ａの挿入孔２ｊからの抜けが防止される。
【００２６】
下側のメス部材３も上側のメス部材２と同様に、図１３（Ａ）に示すように挿入孔３ｊにオス部材５の軸部５ａが挿入される。そして軸部５ａが挿入孔３ｊから抜けることが防止される構成になっている。
したがって前枠１２は、一対のメス部材２，３と一対のオス部材４，５によって外枠１１に対して上下部が開き位置へ回動できなくなる（施錠状態）。
【００２７】
また施錠装置１は、図１，２に示すように鉤部材３０と鉤受部３１を有している。そして前枠１２を開き位置から閉じ位置に向けて回動させることで、鉤部材３０が図１５に示すように鉤受部３１に対して近接する。そして鉤部材３０が鉤受部３１に当接し、鉤部材３０が付勢部材３３に抗して傾動し、鉤部材３０の鉤部３０ａが鉤受部３１を越え、鉤部材３０の首部３０ｂが付勢部材３３の付勢力によって鉤受部３１に掛止する。
したがって前枠１２の上下中央部は、鉤部材３０と鉤受部３１によって外枠１１に対して開き位置へ回動できなくなる（施錠状態）。
【００２８】
施錠装置１を解錠する場合は、図１１（Ｂ）（Ｄ）に示すようにシリンダ錠６の鍵穴６ｂに鍵を差込み、鍵によって錠軸６ａを矢印方向に軸回動させる。これによりカム部材２２が図７において矢印方向（反時計回り）に回転し、連動部材２０が上方に移動する。
そして連動部材２０によって傾動部材２ｄが図１１（Ａ）（Ｃ）に示すように矢印Ｄ方向に傾動し、傾動部材２ｄによってスライド部材２ｃが矢印Ｅ方向に移動する。これにより係合ピン２ｅ，２ｆが挿入孔２ｊのテーパ部２ｊ２に対して矢印Ｅ方向に移動し、係合ピン２ｅ，２ｆが軸部４ａに対して径方向外方に移動できる状態になる。そして係合ピン２ｅ，２ｆによる軸部４ａの挟持力が弱まり、軸部４ａが挿入孔２ｊから抜けることができる状態になる（解除状態）。その結果、図１２に示すように軸部４ａを挿入孔２ｊから抜くことができる。
そして錠軸６ａと連動部材２０が初期位置に戻り、スライド部材２ｃが付勢部材２ｈ，２ｉによって初期位置に戻る。
【００２９】
下側のメス部材３も上側のメス部材２と同様に解除状態になる。すなわち図１３（Ｂ）（Ｄ）に示すように錠軸６ａを軸回転させることで、カム部材２２が図７の矢印方向に回転し、図１３（Ａ）（Ｃ）に示すように連動部材２１が下方に移動する。そして連動部材２１によって傾動部材３ｄが矢印Ｆ方向に傾動し、スライド部材３ｃが付勢部材３ｈ，３ｉに抗して矢印Ｇ方向に移動し、係合ピン３ｅ，３ｆが軸部５ａに対して径方向外方に移動できる状態になる。これにより係合ピン３ｅ，３ｆによる軸部４ａの挟持力が弱まり、軸部５ａが挿入孔３ｊから抜け得る状態になる。その結果、図１４に示すように軸部５ａを挿入孔３ｊから抜くことができる。
そして錠軸６ａと連動部材２１が初期位置に戻り、スライド部材３ｃが付勢部材３ｈ，３ｉによって初期位置に戻る。
かくして前枠１２を外枠１１に対して閉じ位置から開き位置することができる。
【００３０】
鉤部材３０も錠軸６ａの軸回動によって鉤受部３１に対して掛止解除される（図７，１５参照）。すなわち錠軸６ａを解錠方向に回動させることで、カム部材２２が回転し、連結杆３２が摺動する。そして連結杆３２によって鉤部材３０が傾動し、鉤部材３０の先端部が下がり、鉤部材３０が鉤受部３１に対して掛止解除される（図１５参照）。
したがって施錠装置１は、解錠状態となる。
【００３１】
シリンダ錠６の錠軸６ａを解錠方向と逆方向に軸回動させた場合は、カム部材２２が図７において時計回りに回転する。そして連動部材２０が下方に移動し、連動部材２１が上方に移動する。
これにより傾動部材２ｄ，３ｄが傾動し、傾動部材２ｄ，３ｄの突出部２ｄ２，３ｄ２が開口部２ｃ３，３ｃ３（一方向連動機構）内を移動する（図６，１２，１４参照）。そのため傾動部材２ｄ，３ｄとスライド部材２ｃ，３ｃとが連動せず、抜止機構（２ａ，２ｃ，２ｅ，２ｆ，２ｈ，２ｉ；３ａ，３ｃ，３ｅ，３ｆ，３ｈ，３ｉ）が解除状態になることはない。
またこの時、鉤部材３０も錠軸６ａと連動しない。そのため鉤部材３０も鉤受部３１に対して掛止解除状態になることはない。
【００３２】
以上のようにして施錠装置１が形成されている。
すなわち施錠装置１は、図１，２に示すように上下部に一対のメス部材２，３と一対のオス部材４，５を有し、中間部に鉤部材３０を有している。そのため施錠装置１は、少なくとも三箇所において前枠１２を外枠１１に対して施錠し、従前の施錠装置に比べて施錠機能が強い構造になっている。
またメス部材２，３とオス部材４，５は、図３，９〜１４に示すように挿入孔２ｊ，３ｊに軸部４ａ，５ａが挿入され、軸部４ａ，５ａが挿入孔２ｊ，３ｊから抜けることが抜止機構（２ａ，２ｃ，２ｅ，２ｆ，２ｈ，２ｉ；３ａ，３ｃ，３ｅ，３ｆ，３ｈ，３ｉ）によって防止される構造になっている。そして抜止機構は、挿入孔２ｊ，３ｊと軸部４ａ，５ａの間に設けられている。そのため施錠装置１は、不正行為によって解錠されにくい構造になっている。
【００３３】
また施錠装置１は、図１，２に示すように上下部と中間部において施錠形態が相違している。そのため施錠装置１は、その構造によっても不正行為により解錠され難い構造になっている。
一方、施錠装置１は、図１１〜１４に示すように一つのシリンダ錠６を作動させることによって一対の抜止機構（２ａ，２ｃ，２ｅ，２ｆ，２ｈ，２ｉ；３ａ，３ｃ，３ｅ，３ｆ，３ｈ，３ｉ）と鉤部材３０を同時に解除できる。そのためシリンダ錠６によって容易に施錠装置１を解錠状態にすることができる。
【００３４】
また施錠装置１は、シリンダ錠６の錠軸６ａを解錠方向に軸回転させた時のみに解錠状態とするために、抜止解除機構（２ｄ，３ｄ）と抜止機構（２ａ，２ｃ，２ｅ，２ｆ，２ｈ，２ｉ；３ａ，３ｃ，３ｅ，３ｆ，３ｈ，３ｉ）の間に一方向連動機構（開口部２ｃ３、開口部３ｃ３）を有している。そして鉤部材３０と錠軸６ａの間に一方向連動機構（挿入孔３２ａ）を有している。
したがって施錠装置１は、一方向連動機構（２ｃ３，２ｄ２，３ｃ３，３ｄ２，２２ａ，３２ａ）によってシリンダ錠６の錠軸６ａを解錠方向に軸回転させた時のみに解錠状態とされる。
【００３５】
また抜止機構は、図８〜１０，１３に示すようにガイド部材２ａ；３ａとスライド部材２ｃ；３ｃと付勢部材２ｈ，２ｉ；３ｈ，３ｉと一対の係合ピン２ｅ，２ｆ；３ｅ，３ｆを有している。そして一対の係合ピン２ｅ，２ｆ；３ｅ，３ｆは、スライド部材２ｃ；３ｃのスライド位置に応じて軸部４ａ；５ａに対して近接離間し、かつ軸部４ａ；５ａを挟持する構成になっている。
抜止解除機構は、図１１〜１４に示すように傾動部材２ｄ；３ｄを有し、傾動部材２ｄ；３ｄを傾動させることでスライド部材２ｃ；３ｃを移動させて、一対の係合ピン２ｅ，２ｆ；３ｅ，３ｆによる軸部４ａ；５ａの挟持状態を解除できる構成になっている。
一方向連動機構は、図６，１１，１３に示すようにスライド部材２ｃ；３ｃに設けられた長穴状の開口部２ｃ３；３ｃ３と、傾動部材２ｄ；３ｄから開口部２ｃ３；３ｃ３に突出する突出部２ｄ２；３ｄ２とを有して構成されている。
【００３６】
（他の実施の形態）
本発明は、上記の実施の形態に限定されず、以下の形態であっても良い。
（１）すなわち上記の実施の形態に係る施錠装置は、前枠裏面側部の上下部にメス部材が取付けられており、外枠側部の上下部にオス部材が取付けられていた。しかし前枠裏面側部の上下部にオス部材が取付けられ、外枠側部の上下部にメス部材が取付けられる形態であっても良い。
（２）上記の実施の形態に係る施錠装置は、上下部と中間部において前枠を外枠に対して施錠状態にする形態であった。しかしその構成に加えて、前枠を外枠に対して他の部分において施錠する構造を備える形態であっても良い。
【図面の簡単な説明】
【００３７】
【図１】前枠を外枠に対して開き位置にした際の遊技機の後方からの斜視図である。
【図２】外枠の一部と前枠の後方からの斜視図である。
【図３】上側のメス部材とオス部材の拡大斜視図である。
【図４】施錠装置の上側のメス部材近傍の分解斜視図である。
【図５】上側のメス部材の分解拡大斜視図である。
【図６】スライド部材と傾動部材の斜視図である。
【図７】図１の矢印Ｖ方向からの正面一部拡大図である。
【図８】上側のメス部材の断面拡大図である。
【図９】上側のメス部材の挿入孔に上側のオス部材の軸部を挿入させることで施錠装置を施錠状態にする様子を示した図である。
【図１０】上側のメス部材の挿入孔に上側のオス部材の軸部を挿入させることで施錠装置を施錠状態にする様子を示した図である。
【図１１】上側のメス部材の挿入孔に上側のオス部材の軸部を挿入させて錠装置を施錠状態にした状態を示した図（Ａ）（Ｂ）と、施錠装置を解錠状態にする様子を示した図（Ｃ）（Ｄ）である。
【図１２】上側のメス部材を解錠させた状態を示した図である。
【図１３】下側のメス部材の挿入孔に下側のオス部材の軸部を挿入させて錠装置を施錠状態にした状態を示した図（Ａ）（Ｂ）と、施錠装置を解錠状態にする様子を示した図（Ｃ）（Ｄ）である。
【図１４】下側のメス部材を解錠させた状態を示した図である。
【図１５】鉤部材と鉤受部近傍の施錠装置の斜視図である。
【図１６】鉤部材と鉤受部近傍の施錠装置の斜視図である。
【符号の説明】
【００３８】
１…施錠装置
２，３…メス部材
２ａ，３ａ…ガイド部材（抜止機構）
２ｃ，３ｃ…スライド部材（抜止機構）
２ｄ，３ｄ…傾動部材（抜止解除機構）
２ｄ２，３ｄ２…突出部（一方向連動機構）
２ｅ，２ｆ，３ｅ，３ｆ…係合ピン（抜止機構）
２ｈ，２ｉ，３ｈ，３ｉ…付勢部材（抜止機構）
２ｊ２…テーパ部
２ｂ…取付部材
２ｊ，３ｊ…挿入孔
２ｃ３，３ｃ３…開口部（一方向連動機構）
４，５…オス部材
４ａ，５ａ…軸部
６…シリンダ錠
６ａ…錠軸
６ｂ…鍵穴
７…基枠体
８…ベース部材
１０…遊技機
１１…外枠
１２…前枠
２０，２１…連動部材
２２…カム部材
３０…鉤部材
３１…鉤受部
３２ａ…挿入孔（一方向連動機構）
３２…連結杆
３３…付勢部材
【図１】
0004741300.tif 000002
【図２】
0004741300.tif 000003
【図３】
0004741300.tif 000004
【図４】
0004741300.tif 000005
【図５】
0004741300.tif 000006
【図６】
0004741300.tif 000007
【図７】
0004741300.tif 000008
【図８】
0004741300.tif 000009
【図９】
0004741300.tif 000010
【図１０】
0004741300.tif 000011
【図１１】
0004741300.tif 000012
【図１２】
0004741300.tif 000013
【図１３】
0004741300.tif 000014
【図１４】
0004741300.tif 000015
【図１５】
0004741300.tif 000016
【図１６】
0004741300.tif 000017